(57)【要約】【課題】通信ネットワークを介して音声通信及び映像通信を行う際に、予め与えられた帯域を利用者のニーズに合わせて有効利用することのできる技術を提供する。【解決手段】端末の制御部は、通信ネットワークを介して音声通信及び映像通信を行う際に、通信に与えられた帯域において音声信号と映像信号の帯域配分を決定する。このとき、制御部は、通信ネットワークにおけるデータの伝送状況を検出し、ネットワークの伝送状況が悪いほど音声の帯域配分が大きくなるように、帯域配分を決定する。制御部は、決定した帯域配分に応じた帯域を用いて音声通信及び映像通信を行う。【選択図】図１
2010093505.tif 000002
【特許請求の範囲】
【請求項１】
通信ネットワークにおけるデータの伝送状況を検出するネットワーク状況検出手段と、
前記通信ネットワークを介して音声通信及び映像通信を行う際に、通信に与えられた帯域について音声信号と映像信号の帯域配分を、前記ネットワーク状況検出手段の検出結果に応じて決定する帯域配分決定手段と、
前記帯域配分決定手段によって決定された帯域配分に応じた帯域を用いて音声通信及び映像通信を行う通信手段と
を具備することを特徴とする通信装置。
【請求項２】
前記帯域配分と通信の種別との対応関係を記憶する対応関係記憶手段と、
前記通信の種別を取得する取得手段と
を具備し、
前記帯域配分決定手段は、前記音声通信及び前記映像通信を開始するときには、前記対応関係記憶手段の記憶内容を参照して、前記取得手段によって取得された種別に対応する帯域配分を決定する
ことを特徴とする請求項１に記載の通信装置。
【請求項３】
前記帯域配分決定手段によって決定された帯域配分の履歴を記憶する履歴記憶手段
を具備し、
前記帯域配分決定手段は、前記音声通信及び前記映像通信を開始するときには、前記履歴記憶手段に記憶された履歴を参照して前記帯域配分を決定する
ことを特徴とする請求項１に記載の通信装置。
【請求項４】
複数の端末と中継装置とが通信ネットワークを介して接続された通信システムにおいて、
前記複数の端末の各々は、
通信ネットワークにおけるデータの伝送状況を検出するネットワーク状況検出手段と、
前記通信ネットワークを介して音声通信及び映像通信を行う際に、通信に与えられた帯域について音声信号と映像信号の帯域配分を、前記ネットワーク状況検出手段の検出結果に応じて決定する帯域配分決定手段と、
前記帯域配分決定手段によって決定された帯域配分に応じた帯域を用いて音声通信及び映像通信を行う通信手段と
を具備し、
前記中継装置は、
前記端末から送信されてくる音声信号及び映像信号の少なくともいずれか一方の圧縮率を変換する圧縮率変換手段と、
前記圧縮率変換手段によって変換された信号を、送信先の端末へ送信する送信手段と
を具備することを特徴とする通信システム。
【発明の詳細な説明】
【技術分野】
【０００１】
本発明は、通信装置及び通信システムに関する。
【背景技術】
【０００２】
通信網を介して接続された複数の通信端末を用いて会議を行う遠隔会議システムが普及している。また、通信帯域を制御する方法として、特許文献１には、音声呼のトラフィックに応じたデータ呼の回線帯域の有効活用率を引き上げる方法が提案されている。特許文献１に記載の技術では、通信帯域の割付方式において、通信帯域を音声系端末用通信帯域とデータ系端末用通信帯域に分割して使用し、通信帯域の音声呼量に応じて通信帯域における音声系用通信帯域とデータ系端末用通信端末の割合をリアルタイムに変動させる。
【特許文献１】特開平１０−２９４７８８号公報
【発明の開示】
【発明が解決しようとする課題】
【０００３】
しかしながら、特許文献１に記載の技術では、通信状況といった内的要因による使用帯域の割合の制御しかできない。
本発明は上述した背景に鑑みてなされたものであり、通信ネットワークを介して音声通信及び映像通信を行う際に、予め与えられた帯域を利用者のニーズに合わせて有効利用することのできる技術を提供することを目的とする。
【課題を解決するための手段】
【０００４】
上記課題を解決するために、本発明は、通信ネットワークにおけるデータの伝送状況を検出するネットワーク状況検出手段と、前記通信ネットワークを介して音声通信及び映像通信を行う際に、通信に与えられた帯域について音声信号と映像信号の帯域配分を、前記ネットワーク状況検出手段の検出結果に応じて決定する帯域配分決定手段と、前記帯域配分決定手段によって決定された帯域配分に応じた帯域を用いて音声通信及び映像通信を行う通信手段とを具備することを特徴とする通信装置を提供する。
【０００５】
本発明の好ましい態様において、前記帯域配分と通信の種別との対応関係を記憶する対応関係記憶手段と、前記通信の種別を取得する取得手段とを具備し、前記帯域配分決定手段は、前記音声通信及び前記映像通信を開始するときには、前記対応関係記憶手段の記憶内容を参照して、前記取得手段によって取得された種別に対応する帯域配分を決定してもよい。
【０００６】
また、本発明の好ましい態様において、前記帯域配分決定手段によって決定された帯域配分の履歴を記憶する履歴記憶手段を具備し、前記帯域配分決定手段は、前記音声通信及び前記映像通信を開始するときには、前記履歴記憶手段に記憶された履歴を参照して前記帯域配分を決定してもよい。
【０００７】
また、本発明は、複数の端末と中継装置とが通信ネットワークを介して接続された通信システムにおいて、前記複数の端末の各々は、通信ネットワークにおけるデータの伝送状況を検出するネットワーク状況検出手段と、前記通信ネットワークを介して音声通信及び映像通信を行う際に、通信に与えられた帯域について音声信号と映像信号の帯域配分を、前記ネットワーク状況検出手段の検出結果に応じて決定する帯域配分決定手段と、前記帯域配分決定手段によって決定された帯域配分に応じた帯域を用いて音声通信及び映像通信を行う通信手段とを具備し、前記中継装置は、前記端末から送信されてくる音声信号及び映像信号の少なくともいずれか一方の圧縮率を変換する圧縮率変換手段と、前記圧縮率変換手段によって変換された信号を、送信先の端末へ送信する送信手段とを具備することを特徴とする通信システムを提供する。
【発明の効果】
【０００８】
本発明によれば、通信ネットワークを介して音声通信及び映像通信を行う際に、予め与えられた帯域を利用者のニーズに合わせて有効利用することができる。
【発明を実施するための最良の形態】
【０００９】
＜構成＞
図１は、この発明の一実施形態である遠隔会議システム１の構成を示すブロック図である。この遠隔会議システム１は、複数の拠点のそれぞれに設置された複数の端末１０ａ，１０ｂ，１０ｃ，１０ｄが、インターネット等の通信ネットワーク２０に接続されて構成される。なお、図１においては４つの端末１０ａ，１０ｂ，１０ｃ，１０ｄを図示しているが、端末の数は４に限定されるものではなく、これより多くても少なくてもよい。また、以下の説明においては、説明の便宜上、端末１０ａ，１０ｂ，１０ｃ，１０ｄを各々区別する必要がない場合には、これらを「端末１０」と称して説明する。遠隔会議の参加者が端末１０を用いて通信を行うことで、遠隔会議が実現される。
【００１０】
図２は、端末１０の構成の一例を示すブロック図である。図において、制御部１１は、ＣＰＵ（Central Processing Unit）やＲＯＭ（Read Only Memory）、ＲＡＭ（Random Access Memory）を備え、ＲＯＭ又は記憶部１２に記憶されているコンピュータプログラムを読み出して実行することにより、バスＢＵＳを介して端末１０の各部を制御する。記憶部１２は、制御部１１によって実行されるコンピュータプログラムやその実行時に使用されるデータを記憶するための記憶手段であり、例えばハードディスク装置である。表示部１３は、液晶パネルを備え、制御部１１による制御の下に各種の画像を表示する。操作部１４は、端末１０の利用者による操作に応じた信号を出力する。マイクロホン１５は、収音し、収音した音声を表す音声信号（アナログ信号）を出力する。音声処理部１６は、マイクロホン１５が出力する音声信号（アナログ信号）をＡ／Ｄ変換によりデジタルデータに変換する。また、音声処理部１６は、供給されるデジタルデータをＤ／Ａ変換によりアナログ信号に変換してスピーカ１７に供給する。スピーカ１７は、音声処理部１６から出力されるアナログ信号に応じた強度で放音する。通信部１８は、他の端末１０との間で通信ネットワーク２０を介して通信を行うための通信手段である。撮影部１９は、撮影し、撮影した映像を表す映像データを出力する。
【００１１】
なお、この実施形態では、マイクロホン１５とスピーカ１７とが端末１０に含まれている場合について説明するが、音声処理部１６に入力端子及び出力端子を設け、オーディオケーブルを介してその入力端子に外部マイクロホンを接続する構成としても良い。同様に、オーディオケーブルを介してその出力端子に外部スピーカを接続する構成としてもよい。また、この実施形態では、マイクロホン１５から音声処理部１６へ入力されるオーディオ信号及び音声処理部１６からスピーカ１７へ出力されるオーディオ信号がアナログオーディオ信号である場合について説明するが、デジタルオーディオデータを入出力するようにしても良い。このような場合には、音声処理部１６にてＡ／Ｄ変換やＤ／Ａ変換を行う必要はない。表示部１３や撮影部１９についても同様であり、外部出力端子を設け、外部モニタや外部カメラを接続する構成としても良い。
【００１２】
記憶部１２は、図示のように、対応関係記憶領域１２１と、帯域配分履歴記憶領域１２２とを有している。対応関係記憶領域１２１には、帯域配分と遠隔会議の種別（通信の種別）との対応関係を示すテーブルが記憶されている。
図３は、対応関係記憶領域１２１に記憶されたテーブルの内容の一例を示す図である。図示のように、このテーブルは、「会議の種類」と「音声」と「映像」との各項目が互いに関連付けて記憶されている。これらの項目のうち、「会議の種類」の項目には、「定例会」、「コンサル」、「セキュリティ」といった、会議の種別を示す種別情報が格納されている。「音声」の項目には、音声の帯域配分（割合）を示すデータが格納されている。「映像」の項目には、映像の帯域配分（割合）を示すデータが格納されている。端末１０の制御部１１は、操作部１４から出力される信号に応じて、会議の種別（通信の種別）を取得し、このテーブルの記憶内容を参照して、取得した種別に対応する帯域配分を決定する。
【００１３】
次に、記憶部１２の帯域配分履歴記憶領域１２２には、帯域配分の履歴が記憶される。制御部１１は、遠隔会議中において音声と映像の割合（帯域配分）をリアルタイムに変更し、その割合を時系列にこの帯域配分履歴記憶領域１２２に記憶する。この履歴は、制御部１１が会議の種別毎に記憶するようにしてもよい。
【００１４】
次に、端末１０の機能的構成について図面を参照しつつ説明する。図４は、端末１０の機能的構成の一例を示す図である。図において、通信制御部１１１、帯域配分決定部１１２及びネットワーク状況検出部１１３は、制御部１１が記憶部１２に記憶されたコンピュータプログラムを読み出して実行することによって実現される。なお、図中の矢印はデータの流れを概略的に示すものである。
【００１５】
通信制御部１１１は、供給されるデータをパケット化して、通信部１８を介して他の端末１０へ送信する。また、通信制御部１１１は、他の端末１０から送信されてくるデータを受信する。通信制御部１１１は、受信される音声データを音声処理部１６へ供給し、スピーカ１７から音として出力させる。また、通信制御部１１１は、受信される映像データを表示部１３に供給し、受信した映像データの表す映像を表示部１３に表示させる。
【００１６】
ネットワーク状況検出部１１３は、通信ネットワークにおけるデータの伝送状況を検出し、検出結果を示すデータを帯域配分決定部１１２に出力する。ネットワーク状況検出部１１３は、パケットの遅延の発生頻度や、ジッタ（データの転送時間の不均一によるデータの揺らぎ）、データロス率、スループット等を検出する。
【００１７】
帯域配分決定部１１２は、通信ネットワークを介して音声通信及び映像通信を行う際に、通信に予め与えられた帯域について音声信号と映像信号の帯域配分を決定する。ここでは、帯域配分決定部１１２は、音声通信及び映像通信を開始するときには、対応関係記憶領域１２１に記憶されたテーブルを参照して帯域配分を決定する。また、帯域配分決定部１１２は、音声通信及び映像通信を行っている最中においては、ネットワーク状況検出部１１３の検出結果に応じて帯域配分を決定する。
【００１８】
ここで、帯域配分決定部１１２が行う帯域配分の決定処理の具体的な内容の一例について、図面を参照しつつ説明する。図５は、端末１０が通信を行う際の帯域配分を説明するための図である。図５において、端末１０は、予め定められた帯域Ｄを音声通信用の帯域と映像通信用の帯域とに分割し、それぞれの帯域を用いて音声通信及び映像通信を行う。より具体的には、通信を開始するときには、帯域配分決定部１１２は、予め定められた帯域配分で帯域Ｄを配分して通信を行う。例えば、図５に示す例では、帯域Ｄ１−１を音声通信用の帯域として割り当て、帯域Ｄ２−１を映像通信用の帯域として割り当てる。帯域配分決定部１１２は、帯域配分の決定結果を通信制御部１１１に通知し、通信制御部１１１は、帯域配分決定部１１２の決定結果に応じて、帯域Ｄを、映像通信用と音声通信用との複数の帯域に分割し、分割した各帯域を用いて映像通信及び音声通信を行う。
【００１９】
また、帯域配分決定部１１２は、遠隔会議が行われている最中（すなわち音声通信及び映像通信を行っている最中）において、ネットワーク状況検出部１１３の検出結果に応じて帯域の配分を動的に変更する。具体的には、例えば、帯域配分決定部１１２は、ネットワーク状況検出部１１３によって検出されたネットワークのスループットが低いほど、音声通信の帯域幅を広くする。より具体的には、例えば、帯域配分決定部１１２は、検出されたスループットが予め定められた第１の閾値以下である場合には、音声通信の帯域幅を全体の７０％にし、更に、検出されたスループットが第１の閾値よりも小さい第２の閾値以下である場合には、音声通信の帯域幅を全体の９０％にする、といった制御を行う。図５に示す例では、帯域配分決定部１１２は、ネットワーク状況検出部１１３の検出結果に応じて、帯域Ｄ１−２を音声通信用の帯域として割り当て、帯域Ｄ２−２を映像通信用の帯域として割り当てる。
【００２０】
このとき、図５に示すように、帯域配分決定部１１２は、全体の帯域幅を変更するのではなく、予め定められた帯域幅Ｄにおける音声信号と映像信号の配分を変更する。また、このとき、帯域配分決定部１１２は、使用するプロトコルを切り換えるのではなく、同じプロトコルを用いたまま、帯域の使用配分を動的に切り換える。
【００２１】
通信制御部１１１は、帯域配分決定部１１２によって決定された帯域配分で他の端末１０と通信を行うために、決定された帯域配分を示す要求データを、他の端末１０へ送信する。他の端末１０は、送信された要求データの示す帯域配分で通信を行うか否かを判定し、判定結果を示す応答データを、要求データの応答として通知元の端末１０へ送信する。帯域配分の変更を許可する旨を示す応答データを受信した場合には、通信制御部１１１は、帯域配分決定部１１２によって決定された帯域配分に応じた帯域を用いて音声通信及び映像通信を行う。一方、受信された応答データが帯域配分の変更を拒否する旨を示す場合には、通信制御部１１１は、帯域配分を変更せずに、そのままの帯域配分で音声通信及び映像通信を継続する。
【００２２】
＜動作＞
次に、本実施形態の動作について説明する。遠隔会議を開始するに先立って、会議の参加者は、端末１０の操作部１４を用いて、会議の種別を入力する操作を行う。操作部１４は、操作内容に応じた信号を出力し、制御部１１は、操作部１４から出力される信号に応じて会議の種別を取得する。制御部１１は、対応関係記憶領域１２１の記憶内容を参照して、取得した種別に対応する帯域配分を決定する。具体的には、例えば、取得した種別情報が「定例会」を示す情報である場合には、制御部１１は、対応関係記憶領域１２１に記憶されたテーブルを参照して、音声通信の帯域幅の割合を「５０」、映像通信の帯域幅の割合を「５０に」決定する。
【００２３】
制御部１１は、決定した帯域配分で音声通信及び映像通信を行う。すなわち、端末１０は、マイクロホン１５で収音した音声を表す音声データを、音声通信用の帯域を用いて他の端末１０に送信するとともに、撮影部１９で撮影された映像データを、映像通信用の帯域を用いて、他の端末１０へ送信する。また、端末１０は、他の端末１０から音声データを受信し、受信した音声データをスピーカ１７から音として出力するとともに、他の端末１０から映像データを受信し、受信した映像データの示す映像を表示部１３に表示させる。
【００２４】
また、会議が行われている最中において、制御部１１は、ネットワーク状況を検出し、検出結果に応じて帯域配分を決定する。ここでは、端末１０の制御部１１は、ネットワークのスループットが低いほど音声の割合を高くする。この帯域配分の決定処理（変更処理）は、例えば、制御部１１が、予め定められた単位時間毎（例えば、１分毎、１０分毎、等）に行うようにしてもよく、また、例えば、検出されたネットワーク状況が予め定められた条件を満たす場合に帯域配分を決定（変更）するようにしてもよく、要は、制御部１１が、予め定められたタイミングで帯域配分変更処理を行うようにすればよい。制御部１１は、決定した帯域配分に従って音声通信及び映像通信を行う。
【００２５】
図６は、帯域配分の内容の一例を示す図である。図６に示す例では、遠隔会議が開始された時刻ｔ１においては、制御部１１は、対応関係記憶領域１２１に記憶された対応関係に基づいて音声通信用帯域Ｄ１と映像通信用帯域Ｄ２との帯域配分を決定し、決定した帯域配分で音声通信及び映像通信を行う。また、会議を行っている最中において、ネットワーク状況検出部１１３の検出結果に応じて、音声通信用帯域Ｄ１と映像通信用帯域Ｄ２との帯域配分を動的に変更する。なお、帯域配分の変更の態様は図６に例示するものに限らず、他の態様であってもよい。
【００２６】
ところで、通信ネットワークを介して遠隔会議を行う場合には、通信ネットワークのデータ伝送状況が悪いと音質劣化や画質劣化が発生し、利用者がストレスを感じる場合がある。特に、音質と画質の両方が低下した場合には、互いの発言内容が相手に伝わらず、会議の続行が困難になる場合がある。しかしながら、画質が多少劣化したとしても音声がある程度伝わっている場合には、会議の参加者は互いの発言内容を把握することができ、会議を続行させることが可能である場合が多い。本実施形態では、通信ネットワークの伝送状況が悪い場合には、音声通信用の帯域幅の割合を大きくすることにより、音質劣化を防ぐことができる。これにより、本実施形態によれば、通信ネットワークのデータ伝送状況悪い場合であっても、音質劣化を防いで会議を継続させることができる。
【００２７】
このように、本実施形態では、遠隔会議が行われている最中において音声通信の帯域幅と映像通信の帯域幅との帯域配分が動的に変更される。また、会議の種類・状況においては、音声重視、映像重視等のデータの重み付けが変化するため、本実施形態では、限られた通信帯域の中で、上記のような重み付けをされた場合にデータの品質を動的に制御する。これにより、ネットワークを介した会議システムにおいて、予め与えられた帯域を利用者のニーズに合わせて有効利用することができる。
【００２８】
＜変形例＞
以上、本発明の実施形態について説明したが、本発明は上述した実施形態に限定されることなく、他の様々な形態で実施可能である。以下にその例を示す。なお、以下の各態様を適宜に組み合わせてもよい。
（１）上述の遠隔会議システムにおいて、中継装置を用いて複数の端末１０間の通信の中継を行うようにしてもよい。この場合のシステム構成について、図７を参照しつつ説明する。図７は、遠隔会議システム２の構成を示すブロック図である。なお、図７は、上述した実施形態において図１に示した遠隔会議システム１に対応するものである。以下の説明では、上述した実施形態と同様の構成については、同じ符号を付してその説明を省略する。
【００２９】
図７において、中継装置３０は、複数の端末１０間における音声通信及び映像通信の中継を行う装置である。中継装置３０は、端末１０から送信されてくる音声信号及び映像信号の少なくともいずれか一方の圧縮率を変換し、変換した信号を、送信先の端末１０へ送信する。
【００３０】
（２）上述の実施形態では、複数の端末１０の各々が、帯域配分の決定処理を行ったが、これに限らず、複数の端末１０のうちのいずれかを親端末とし、親端末が、帯域配分の決定処理を行うようにしてもよい。この場合は、親端末１０は、ネットワーク状況を検出し、検出結果に応じて帯域配分を決定し、決定結果を他の端末１０（子端末）へ通知するようにすればよい。この場合は、子端末１０は、親端末から通知される帯域配分に従って音声通信及び映像通信を行う。
【００３１】
また、中継装置が帯域配分の決定処理を行うようにしてもよい。この場合は、例えば、図７に示す例において、中継装置３０が、予め定められた帯域について音声信号と映像信号の帯域配分を決定し、決定した帯域配分を複数の端末１０へ通知する。また、中継装置３０は、決定した帯域配分に応じた帯域を用いて、複数の端末間における音声通信及び映像通信の中継を行う。この場合、中継装置３０は、複数の端末１０間のネットワークのスループットを検出し、検出結果に応じて音声と映像の帯域配分を決定する。この決定処理の具体的な内容としては、上述した実施形態において端末１０が行う処理と同様であるため、ここではその詳細な説明を省略する。
【００３２】
（３）上述の実施形態では、制御部１１は、対応関係記憶領域１２１に記憶されたテーブルの内容を参照して、帯域配分の初期値を決定するようにしたが、帯域配分の初期値の決定の態様はこれに限らず、例えば、遠隔会議の配分の履歴を参照して、帯域配分を決定するようにしてもよい。この場合は、制御部１１は、遠隔会議が行われている最中に帯域配分を変更した場合には、その内容を示す履歴データを、記憶部１２の帯域配分履歴記憶領域１２２に記憶する。制御部１１は、帯域配分履歴記憶領域１２２に記憶された履歴を参照して帯域配分を決定するようにすればよい。このとき、利用者が操作部１４を用いて会議の種別を入力した場合には、制御部１１は、入力された種別に対応する履歴データに応じて帯域配分を決定するようにしてもよい。
【００３３】
（４）上述の実施形態において、帯域配分の下限値を予め設定しておき、この下限値を下回らないように制御するようにしてもよい。具体的には、例えば、制御部１１が、音声信号用帯域の割合の下限値を予め設定しておき、ネットワークのスループットが低いほど音声の帯域配分が小さくなるように帯域配分を決定するとともに、かつ、音声の帯域配分が予め設定された下限値よりも小さくならないように制御するようにしてもよい。
【００３４】
（５）上述の実施形態では、制御部１１は、音声通信と映像通信との帯域配分を変更するようにしたが、これに限らず、データ通信用の帯域配分を変更するようにしてもよい。要は、制御部１１が、通信に予め与えられた（予め定められた）帯域について、音声通信、映像通信及びデータ通信のうちの少なくともいずれか２つの帯域配分を決定するようにすればよい。また、上述の実施形態において、制御部１１が、通信において端末１０からのデータの送信に使用する周波数帯域（上り帯域）とデータの受信に使用する周波数帯域（下り帯域）との帯域配分（割合）を決定（変更）するようにしてもよい。
【００３５】
（６）上述の実施形態では、制御部１１が、通信ネットワークのスループットを検出し、通信ネットワークのスループットが低いほど音声通信用の帯域配分を大きくするようにしたが、帯域配分の変更の態様はこれに限らず、例えば、制御部１１が、通信ネットワークのスループットを検出し、検出した通信ネットワークのスループットが低いほど映像通信用の帯域配分を大きくするようにしてもよい。例えば、音声よりも映像が重視されるような通信を行う場合には、ネットワーク状況が悪いほど映像通信用の帯域幅を大きくすることで、画質の劣化を防ぎつつ通信を行うことができる。要は、制御部１１が、通信ネットワークのデータの伝送状況を検出し、検出結果に応じて、音声通信用と映像通信用の帯域配分を決定するようにすればよい。
【００３６】
また、会議の種別（通信の種別）毎に音声重視か映像重視かを設定できるようにしてもよい。この場合は、具体的には、会議の種別（通信の種別）と帯域配分の変更態様との対応関係を所定の記憶領域に予め記憶しておく構成とし、制御部１１が、会議の種別を外部から取得すると、取得した種別に対応する変更態様で帯域配分を変更するようにすればよい。帯域配分の変更態様としては、例えば、音声と映像の重み付けを予め設定しておき、制御部１１が、ネットワーク状況が悪化するほど、重み付けが軽い方の割合を低くするように制御してもよい。また、例えば、制御部１１が、ネットワークの状況に応じて、全体を平均的にデータの質を下げるようにしてもよい。
【００３７】
このように会議の種別毎に帯域配分の変更態様を設定しておくことによって、例えば、ある会議においては音声の重み付けを大きくしておくことによって音質の劣化を防ぎ、別の会議においては映像の重み付けを大きくしておくことによって映像の劣化を防ぐ、といった制御を行うことができる。このように、この態様によれば、会議の種別に応じて、帯域配分を利用者の嗜好に合わせて決定することができる。
【００３８】
（７）上述の実施形態において、端末１０の制御部１１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットのようなネットワーク経由で端末１０にダウンロードさせることも可能である。
【図面の簡単な説明】
【００３９】
【図１】遠隔会議システムの構成の一例を示す図である。
【図２】端末のハードウェア構成の一例を示すブロック図である。
【図３】テーブルの内容の一例を示す図である。
【図４】端末の機能的構成の一例を示すブロック図である。
【図５】帯域配分の決定処理を説明するための図である。
【図６】帯域配分の変更内容の一例を示す図である。
【図７】遠隔会議システムの構成の一例を示す図である。
【符号の説明】
【００４０】
１，２…遠隔会議システム、１０…端末、１１…制御部、１２…記憶部、１３…表示部、１４…操作部、１５…マイクロホン、１６…音声処理部、１７…スピーカ、１８…通信部、１９…撮影部、２０…通信ネットワーク、３０…中継装置、１１１…通信制御部、１１２…帯域配分決定部、１１３…ネットワーク状況検出部、１２１…対応関係記憶領域、１２２…帯域配分履歴記憶領域。
【図１】
2010093505.tif 000003
【図２】
2010093505.tif 000004
【図３】
2010093505.tif 000005
【図４】
2010093505.tif 000006
【図５】
2010093505.tif 000007
【図６】
2010093505.tif 000008
【図７】
2010093505.tif 000009